(57)【要約】【課題】  従来の防暑衣服は、着丈が肩からでん部に到る上着であって、この上着の着丈を二重構造遮光部材で構成した。防暑効果が発揮できる反面、前身頃部を有さず、上着前側が開放であることから、婦人用としては素晴らしい構造である。しかし、男性用としての利用にはかなり抵抗感があり、現実には着用することが困難視される。また婦人であっても高齢者は、前記男性と同様に抵抗感があることは歪めなかった。【構成】  本発明は、上着全体をメッシュ生地で構成し、メッシュ生地の背中部及び／又は肩部に亘って遮光部材を展着し、前身頃部をメッシュ生地で構成した遮光効果を発揮できる上着であり、農作業、屋外の各種作業等における炎天下での防暑、又は交通整理、工事現場の案内作業等の際における防暑・安全性を確保できる。【選択図】      図1
2005232653.tif 000002
【特許請求の範囲】
【請求項１】
上着全体をメッシュ生地で構成し、このメッシュ生地の背中部及び／又は肩部に亘って遮光部材を展着し、前身頃部をメッシュ生地で構成したことを特徴とする遮光効果を発揮できる上着。
【請求項２】
上着全体をメッシュ生地で構成し、この上着のメッシュ生地の側面を開放し、この開放を少なくとも二本のベルトで連結し、前記メッシュ生地の背中部及び／又は肩部に亘って遮光部材を展着し、前身頃部をメッシュ生地で構成し、この前身頃部にメッシュ生地の袋部を設けたことを特徴とする遮光効果を発揮できる上着。
【請求項３】
請求項1又は請求項2に記載の背中部及び／又は肩部に亘って設けた遮光部材、又は前身頃部をメッシュ生地の上に、反射ベルトを設けたことを特徴とする遮光効果を発揮できる上着。
【請求項４】
請求項1又は請求項2に記載の背中部に遮光部材を展着し、この展着の裾部を絞り込んで構成したことを特徴とする遮光効果を発揮できる上着。
【請求項５】
請求項1又は請求項2に記載の背中部及び／又は肩部のメッシュ生地と、前身頃部のメッシュ生地の端部にそれぞれステッチを設けたことを特徴とする遮光効果を発揮できる上着。
【発明の詳細な説明】
【技術分野】
【０００１】
本発明は、遮光効果を発揮できる上着であって、農作業、屋外の各種作業等における防暑・安全用等、又は交通整理、警備等の作業、或いは鉄道工事、道路工事等の工事現場等の際における防暑・安全用等の陸海空（陸上、海上、空中等）において着用できる上着に関する。
【背景技術】
【０００２】
従来の遮光効果を発揮できる上着であって、農作業、屋外の各種作業等における防暑用として役立つ上着として、本出願の発明者が提案する考案がある。この考案は、実用新案登録第3075455号の「防暑対策作業衣と、この防暑対策作業衣に使用する帽子」であり（文献（1）とする）、その概要は、着丈が肩からでん部に到り、この着丈でなる上着を二重構造遮光部材で構成した防暑対策作業衣である。従って、防暑効果が発揮できる。しかし、前身頃部を有さず、この前身頃部に相当する前側が全面開放であることから、婦人用としては素晴らしい構造である。しかし、男性用としての利用にはかなり抵抗感があり、現実には着用することが困難視される。また婦人であっても高齢者は、前記男性と同様に抵抗感があることは歪めなかった。
【０００３】
また他の文献としては、特開平8-92804号の「スポーツ用衣服」であり（文献（2））、その概要は、衣服の前身頃の上部と、背中部（後身頃）に亘って太陽光遮蔽部を設け、前記前身頃の下部にメッシュ地を設けた構成とする。このような構成を採用することで、スポーツ選手の防暑と通気性並びにクーリング効果を図ることを意図する。
【０００４】
さらに他の文献としては、特開2000-345418の「防暑型絶縁衣」であり（文献（3））、その概要は、絶縁樹脂フィルムを積層した絶縁衣であって、この絶縁衣は、金属蒸着フィルム、反射フィルムを表裏の絶縁樹脂フィルムでサンドイッチ状に被覆した構造であり、反射フィルムの導電性を考慮して端部（人体への接触箇所）内側に、この反射フィルムの端縁が位置する構成とする。このような構成を採用することで、直射日光下での作業の際の防暑を図ることを意図する。
【０００５】
【特許文献１】実用新案登録第3075455号
【特許文献２】特開平8-92804号
【特許文献３】特開2000-345418
【発明の開示】
【発明が解決しようとする課題】
【０００６】
前記文献（1）は、婦人の農作業用の防暑には最適である。しかし、男性用又は農作業以外での着用には、少なからず問題がある。その問題の一つが古来の野良着の雰囲気を醸成する形状に対する違和感と、また前身頃に相当する布地等が当該部位の保護に欠けること、或いは通常の屋外の作業の際に着用するには抵抗感があること、等の点が考えられる。
【０００７】
次に文献（2）は、肩部近傍の防暑であるので、この発明が意図する目的は達成される。しかし、本発明が意図する紳士・婦人用で農作業用の防暑を始めとして、各種の作業に適する防暑を図るには、前記構造では到底不可能と考えられること、また本発明が意図する交通整理、工事現場の案内作業等の際における防暑・安全用として着用するには改良の余地があること等の問題点が考えられる。
【０００８】
また文献（3）は、構造上で防暑又は絶縁を備えているが、衣生地が通気性を備えておらず防暑又は放熱に関する問題を抱えていること、また人体の肩部周辺のみを対象とすることから、農作業の如く、上半身の略全部の防暑又は放熱を図ることは困難視されること等の改良の余地があること等の問題点が考えられる。またこの文献（3）では、前記の如く、衣生地が通気性を備えておらず、かつ人体の肩部周辺のみを対象とすることから、天候、使用態様、又は使用者等の各種の条件を充足できる環境とはなっておらず、所謂、汎用的な使用において改良すべき課題があった。
【課題を解決するための手段】
【０００９】
請求項1の発明は、農作業、屋外の各種作業等における主として炎天下での防暑、日焼け、日陰がない危険な状況での使用を考えた場合の日射病等の疾病発生回避又は放熱（以下、防暑とする）、又は交通整理、工事現場の案内作業等の際における防暑・安全性を確保すること、また炎天下等の悪条件の作業、又は案内作業等における主として屋外及び／又は男性の使用において、違和感なく使用可能な安全性と防暑性の効果を発揮できる上着の提供とを意図する。
【００１０】
請求項1は、上着全体をメッシュ生地で構成し、このメッシュ生地の背中部及び／又は肩部に亘って遮光部材を展着し、前身頃部をメッシュ生地で構成したことを特徴とする遮光効果を発揮できる上着である。
【００１１】
請求項2の発明は、請求項1と同様に本発明の目的を達成すること、また一層の涼感（冷感）を確保することと、上半身を含めた人体全体のスムーズな動きを確保すること等を意図する。
【００１２】
請求項2は、上着全体をメッシュ生地で構成し、この上着のメッシュ生地の側面を開放し、この開放を少なくとも二本のベルトで連結し、前記メッシュ生地の背中部及び／又は肩部に亘って遮光部材を展着し、前身頃部をメッシュ生地で構成し、この前身頃部にメッシュ生地の袋部を設けたことを特徴とする遮光効果を発揮できる上着である。
【００１３】
請求項3の発明は、請求項1又は請求項2の目的を達成し、また効率的に防暑を図りつつ、涼感を確保すること等を意図する。
【００１４】
請求項3は、請求項1又は請求項2に記載の背中部及び／又は肩部に亘って設けた遮光部材、又は身頃部をメッシュ生地の上に、反射ベルトを設けたことを特徴とする遮光効果を発揮できる上着である。
【００１５】
請求項4の発明は、請求項1又は請求項2の目的を達成し、また遮光部材によるきらびやかな感覚を少なくすること（着用時の違和感回避）、上半身を含めた人体全体のスムーズな動きを確保すること等を意図する。また弾性の少ない遮光部材の使用範囲を必要最少限度として、耐久性の向上を図り、例えば、動きの激しい作業にも使用できること、汎用性と、使用（利用）の利便性を確保して、使用に対する実益を図ること等を意図する。
【００１６】
請求項4は、請求項1又は請求項2に記載の背中部に遮光部材を展着し、この展着の裾部を絞り込んで構成したことを特徴とする遮光効果を発揮できる上着である。
【００１７】
請求項5の発明は、請求項1又は請求項2の目的を達成し、またメッシュ生地の解れの解消とともに、炎天下等の悪条件の作業、又は案内作業等における主として屋外及び／又は男性の使用において、安心して使用可能な安全性と防暑性の効果が発揮できる上着の提供を意図する。また解れを少なくすることで、耐久性の向上が図れ、例えば、動きの激しい作業にも使用できること、汎用性と、使用の利便性を確保して、使用に対する実益を図ること等を意図する。
【００１８】
請求項5は、請求項1又は請求項2に記載の背中部及び／又は肩部のメッシュ生地と、身頃部のメッシュ生地の端部にそれぞれステッチを設けたことを特徴とする遮光効果を発揮できる上着である。
【発明の効果】
【００１９】
請求項1の発明は、上着全体をメッシュ生地で構成し、メッシュ生地の背中部及び／又は肩部に亘って遮光部材を展着し、前身頃部をメッシュ生地で構成した遮光効果を発揮できる上着である。
【００２０】
従って、請求項1は、農作業、屋外の各種作業等における主として炎天下での防暑、又は交通整理、工事現場の案内作業等の際における防暑・安全性を確保できること、また炎天下等の悪条件の作業、又は案内作業等における主として屋外及び／又は男性の使用において、違和感なく使用可能な安全性と防暑性の効果が発揮できる上着を提供できること等の特徴がある。
【００２１】
請求項2の発明は、上着全体をメッシュ生地で構成し、上着のメッシュ生地の側面を開放し、開放を少なくとも二本のベルトで連結し、メッシュ生地の背中部及び／又は肩部に亘って遮光部材を展着し、前身頃部をメッシュ生地で構成し、前身頃部にメッシュ生地の袋部を設けた遮光効果を発揮できる上着である。
【００２２】
従って、請求項2は、請求項1と同様に本発明の目的を達成できること、また一層の涼感（冷感）と、上半身を含めた人体全体のスムーズな動きとを確保できること等の特徴がある。
【００２３】
請求項3の発明は、請求項1又は請求項2に記載の背中部及び／又は肩部に亘って設けた遮光部材、又は身頃部をメッシュ生地の上に、反射ベルトを設けた遮光効果を発揮できる上着である。
【００２４】
従って、請求項3は、請求項1又は請求項2の目的を達成できること、また効率的に防暑を図りつつ、涼感を確保できること等の特徴がある。
【００２５】
請求項4の発明は、請求項1又は請求項2に記載の背中部に遮光部材を展着し、展着の裾部を絞り込んで構成した遮光効果を発揮できる上着である。
【００２６】
従って、請求項4は、請求項1又は請求項2の目的を達成できること、また遮光部材によるきらびやかな感覚を少なくできること、上半身を含めた人体全体のスムーズな動きを確保できること等の特徴がある。
【００２７】
請求項5の発明は、請求項1又は請求項2に記載の背中部及び／又は肩部のメッシュ生地と、身頃部のメッシュ生地の端部にそれぞれステッチを設けた遮光効果を発揮できる上着である。
【００２８】
従って、請求項5は、請求項1又は請求項2の目的を達成できること、またメッシュ生地の解れの解消とともに、炎天下等の悪条件の作業、又は案内作業等における主として屋外及び／又は男性の使用において、安心して使用可能な安全性と防暑性の効果が発揮できる上着を提供できること等の特徴がある。
【発明を実施するための最良の形態】
【００２９】
本発明の一例を説明する。
【００３０】
先ず、図1〜図7に示した例は、農作業、屋外の各種作業等における主として炎天下での防暑・安全用等に役立つ上着1を示している。
【００３１】
この上着1は遮光効果を発揮できることを特徴としており、この特徴は、次の通りである。即ち、この上着1は全体をメッシュ生地2、2ａで縫製し、この一例では、この上着1の背中部200（後身頃部）及び／又は肩部201を構成するメッシュ生地2の上面に遮光部材3を展着し、また上着1の前身頃部202をメッシュ生地2ａで構成した構造である。
【００３２】
この上着1の好ましい一例を説明すると、背中部200を構成するメッシュ生地2には、裾部200ａの一部を除いて遮光部材3を展着して（遮光部材3の展着の端部下方300ａを絞り込んだ状態で）縫着した構成であり、この遮光部材3の照りを少なくすること、又はこの背中部200に弾性機能を保持して、被覆後のスムーズな動きを保証する。
【００３３】
この背中部200の両端部200bと前身頃部202の両端部202bとの間はフリーに構成し、この両端部200bと両端部202bとの間をベルト4で連結するとともに、この両端部200bと両端部202bとの間には隙間5、5（5とする）を形成する。この隙間5は蒸れ防止（放熱）、動きの保証、又は上着1のフリーサイズの確保等を意図する。そして、このベルト4は長さの調整が可能となっている。尚、背中部200に対して前身頃部202の幅を大きくして、人Hの体形に符合するように構成するとともに、圧迫感の解消と、動きの容易化、緊急時の咄嗟の動きを確保すること等に順応できる構成とする。尚、この一例では、ベルト4は掛け外し可能であることから、上着1のファスナー（後述する）を開放し、ベルト4の掛け止め操作で、被り所作（後述する上着1の首穴に頭H1を通す所作）をすることなく着用できる。従って、この着用等による使用の簡便性を考慮した場合には有益である。
【００３４】
図中6は上着1の周縁に設けたステッチで、このステッチ6は、上着1のアクセントと、メッシュ生地2、2ａの解れ防止と、強度の向上等を図ること等を意図する。このステッチ6の構成は、図5に図示した断面構造となっているが一例であり、この例に限定されない。また7は縫い糸を示す。図中8はメッシュ生地2を利用したポケット、9はファスナーを示している。このファスナー9は前身頃部202の開きを開閉するためのものであり、この前身頃部202の裾部202aのやや上方で止めつける構成として、上着1の下方の動き及び／又は開放感を満喫可能な構成とする。尚、図示しないが、このファスナー9をなくして、上着1を被り所作で着用する例、またファスナー9を、他の開閉手段、例えば、釦、紐等の例とすることも可能である。
【００３５】
図4はメッシュ生地2と遮光部材3との逢着部の断面構造となっているが一例であり、この例に限定されない。そして、この例はメッシュ生地2の上に遮光部材3を逢着する構成であり、メッシュ生地2の通気性を確保しつつ、遮光部材3が受ける熱気の冷却効果に役立てる構成とする。
【００３６】
また図6、図7の例は、前述した図1〜図5の他の一例を示しており、背中部200の構成を変更したものであって、遮光部材3の端にメッシュ生地2を縫着した構造であり、その断面を図7に示した。そして、望ましくは、この遮光部材3は二重構造の遮光部材3aとする。また遮光部材3の縫い方向を、上下側とも同じ方向とすることで、伸縮性を確保する。この伸縮性は、動きと着心地の向上等に有益である（他の例も同じ）。
【００３７】
尚、この遮光部材3は、ポリエチレンフィルムの基材にアルミニュウムを蒸着した遮光フィルム素材A1を紐状に形成し、紐状の遮光フィルム素材A1を横糸とし、またフィラメント素材撚糸A2を縦糸として織布又は編成した構成であり、隙間A3を有する寒冷紗態様の遮光部材生地Aを二重にした構成である。従って、遮光性、防暑性を備える。また適度の硬性を備えてあり、皺になり難いこと、形状の安定性があること、等の特徴がある。尚、前記隙間A3を確保することは、この隙間A3よりの通気性の確保、又は収容（折畳み）の容易化を図ること、また折曲げに対する抵抗感をなくして、当該上着1の耐久性の向上と、前述した動きの確保を介して農作業等の各種の作業に順応可能とすること等を意図する。
【００３８】
次に図8〜図12に示した例は、交通整理、警備等の作業、或いは鉄道工事、道路工事等の工事現場等の際における防暑・安全用等として着用できる上着1を示している。
【００３９】
この上着1は遮光効果を発揮できることを特徴としており、この特徴は、次の通りである。即ち、この上着1は全体をメッシュ生地2、2ａで縫製し、この一例では、この上着1の背中部200（後身頃部）及び／又は肩部201を二重構造の遮光部材3aを構成し、この背中部200の両端部200bの略下半分200b-1から裾部200a-1（裾部200aの一部）にかけてメッシュ生地2を縫着し、また上着1の前身頃部202をメッシュ生地2ａで構成した構造である。
【００４０】
そして、その他の構造は前述の図1〜図7の例に準ずる。尚、この二重構造の遮光部材3aにおける二重構造は、保冷性、緩衝性、耐久性等の向上と、又は熱気の進入防止、また縫着の容易化、迅速化等に役立ち有益である（他の例も同じ）。またこの二重構造の縫着を肩幅方向に配し、かつ上下の遮光部材3aの縫着を同じ方向とすることで、肩幅方向の伸縮が可能となり、背中部の伸び縮みに対応できること、人Hの動きに順応できること等の利点がある。また前述と同様な縫着構成でなる二重構造の遮光部材3aとしたことで、遮光部材3aの縫着方向への曲げが可能となり、屈み作業の容易化、また人Hの動きに順応できること等の特徴がある。この二重構造の遮光部材3aの特徴は、前述の例に準ずる。尚、上着1に形成した隙間5は、必要により塞ぐことも可能である（他の例も同じ）。そして、この隙間5を塞ぐことで防寒、保護又は怪我の減少等に役立つ特徴がある（他の例も同じ）。そして、図11、図12に示した例は、メッシュ生地2、2ａの全体に遮光部材3（二重構造の遮光部材3a）を設けた例である（他の例も同じ）。
【００４１】
図中10は夜光塗料、蛍光塗料等を塗布した各種の光に対して反射又は発光する反射ベルトであり、背中部200、また肩部201及び／又は前身頃部202の適所に設ける。また、この反射ベルト10は、上着1に取付け・取外し可能である。この反射ベルト10を設ける構成は、図示の例が理想である。また上着1は前述の各種の例を採用できることは勿論である。尚、この反射ベルト10を上着1に図示の如く設ける構成は、一例であり、使用の目的（室内外の使用場所、時間、作業等）、法律・規則、又は各人・各社等の趣旨によって変更されることは勿論である。また上着1の丈、隙間5の有無、又はポケット8の有無・形態、或いはファスナー9の有無・形態等は、使用の目的、法律・規則、又は各人・各社等の趣旨によって変更されることは勿論である。
【図面の簡単な説明】
【００４２】
【図１】本発明の上着を男性が着用した斜視図
【図２】本発明の第一例であって、メッシュ生地の上着生地に遮光部材を展着した正面図
【図３】本発明の第一例であって、メッシュ生地の上着生地に遮光部材を展着した一部欠截      の背面図
【図４】図3のメッシュ生地と遮光部材との縫着の一例を示した拡大端面図
【図５】図3のメッシュ生地のステッチの一例を示した拡大端面図
【図６】本発明の第二例であって、メッシュ生地と遮光部材とを組合せて構成した一部欠截      の一例を示した正面図
【図７】図6のメッシュ生地と遮光部材との縫着の一例を示した拡大端面図
【図８】本発明の上着を警備員（ガードマン）が着用した一部欠截の斜視図
【図９】本発明の第三例であって、メッシュ生地の上着生地に遮光部材を展着した正面図
【図１０】本発明の第三例であって、メッシュ生地の上着生地に遮光部材を展着した背面図
【図１１】本発明の第四例であって、メッシュ生地の上着生地の全体に遮光部材を展着した正      面図
【図１２】本発明の第四例であって、メッシュ生地の上着生地の全体に遮光部材を展着した背      面図
【符号の説明】
【００４３】
1            上着
2            メッシュ生地
200          背中部
200a         裾部
200a-1       裾部
200b         端部
200b-1       略下半分
201          肩部
202          前身頃部
202a         裾部
202b         端部
2a           メッシュ生地
3            遮光部材
300a         端部下方
3a           二重構造の遮光部材
4            ベルト
5            隙間
6            ステッチ
7            縫い糸
8            ポケット
9            ファスナー
10           反射ベルト
A            遮光部材生地
A1           遮光フィルム素材
A2           フィラメント素材撚糸
A3           隙間
H            人
H1           頭
【図１】
2005232653.tif 000003
【図２】
2005232653.tif 000004
【図３】
2005232653.tif 000005
【図４】
2005232653.tif 000006
【図５】
2005232653.tif 000007
【図６】
2005232653.tif 000008
【図７】
2005232653.tif 000009
【図８】
2005232653.tif 000010
【図９】
2005232653.tif 000011
【図１０】
2005232653.tif 000012
【図１１】
2005232653.tif 000013
【図１２】
2005232653.tif 000014